(57)【要約】【課題】扉の横方向と上下傾きの微調整ができる扉用ヒンジにする。【解決手段】グレビティヒンジ１のフレームを、本体金具３０と装着用金具２の２分割構造にする。本体金具３０の背板部３２を装着用金具２の背板装着用板部２２の背面側に位置させ、ビス４１による装着と、偏心回転する調整カム４０とビス４２による挟み付けで装着する。調整カム４０の回転操作で背板部３１ｂを含めたヒンジ本体３の位置調整ができるようにする。前板部３１には、この調整に用いるドライバー工具を突入させる窓孔３１ａ，３１ｂが設けられている。【選択図】図６
2017218879.tif 000002
【特許請求の範囲】
【請求項１】
手前面になる前板部と該前板部の背面に対向する背板部とを少なくとも備えたフレーム構造を有し、前記前板部の開放側端部側に扉回動機構部を備えたヒンジ本体と、該ヒンジ本体を扉口がある固定側に取り付ける装着用金具と、を備えた扉用ヒンジであって、
前記ヒンジ本体は、前記背板部を前記装着用金具が有する背板装着用板部の背面側に装着することにより、前記装着用金具に組付けられ、
この装着は、前記背板部と前記装着用金具とを、軸挿した第１ビスの締結により行われる装着と、前記背板部と前記装着用金具とを、軸挿した調整カムの頭部と該調整カム先端面に螺入した第２ビスの頭部とによる挾着とにより行われ、
前記調整カムの頭部と先端部との間に円形カムが形成され、該円形カムが、前記整背板部又は前記装着用板部のいずれかに設けられたカム窓内に、該カム窓が有する縦長平行な両縁部に略接する状態で位置し、
前記装着用金具に対する前記ヒンジ本体の横移動方向の微調整と上下回動方向の微調整が、ドライバー工具を用いた前記調整カムの頭部の回転方向の操作により、前記円形カムが回転方向に偏心移動して前記両縁部のいずれか一方を押圧して、前記背板部を横移動又は上下回動させて行われるように構成されていることを特徴とする扉用ヒンジ。
【請求項２】
前記調整カムと前記第１ビスは、双方の頭部を前記前板部の背面に対向させた向きにあり、該前板部に双方の頭部を操作するドライバー工具の先端部を突入させることができる窓孔が設けられている、請求項１に記載の扉用ヒンジ。
【請求項３】
前記調整カムと前記第１ビスは、双方の頭部を前記扉口後方に向けた向きにあり、双方の頭部の操作が該扉口後方側からドライバー工具を操作して行われるように構成されている、請求項１に記載の扉用ヒンジ。
【請求項４】
前記背板装着用板部の上縁部と下縁部から前記背板部の上方及び下方後に向けた位置に、該背板装着用板部に装着された前記背板部の上下傾きの範囲を規制するガイド部が夫々設けられている、請求項１乃至３のいすれかの項に記載の扉用ヒンジ。
【請求項５】
請求項１乃至３のいずれかの項に記載の扉用ヒンジは、
前記扉回動機構部が備えるヒンジ軸周りに、傾斜カム面を対向させた上下一対の傾斜カムが設けられた、扉の自重で該扉を閉じ方向に動作させるグレビティヒンジである。
【請求項６】
前記上下一対の傾斜カムのうち、下部側の傾斜カムのカム面には、上部側の傾斜カムが扉の自重で下降して最下位置に達する手前の位置で一時係止させる突条が、外周側から内側に向けて設けられ、
前記ヒンジ軸上部に、扉を閉じ方向に付勢するばねが支持されて、
扉が自重で閉じ動作をして閉じ終える手前の位置で停止し、その後の手動による押操作による前記一時係止位置の乗り越えにより、前記ばねによる付勢力で扉が閉じ終えるように構成されている、請求項５に記載の扉用ヒンジ。
【発明の詳細な説明】
【技術分野】
【０００１】  本発明は、扉の横移動及び上下方向の傾きを微調整する機能を備えた扉用ヒンジに関し、この扉用ヒンジにはグレビティヒンジも含まれる。
【背景技術】
【０００２】  この種の扉用ヒンジは、例えば、収納庫の被せタイプの扉を横開閉自在に支持するために用いられている。
扉は、本来、出荷前に取付け姿勢が確認されているにもかかわらず、設置の際に上下に僅かに傾いた扉を見つけることがある。また、扉の重み及び開閉が繰り返されること等が原因で、扉の姿勢が若干下方に傾いた状態になることがある。【０００３】  扉の僅かな傾きは、際立って目立つため、傾いた扉を元の水平姿勢に戻す調整が必要になる。
扉用ヒンジは、扉の片側端の上部個所と下部個所に設けられているため、上部側の扉用ヒンジの可動部分を僅かに横移動調整すると、扉の傾きを直すことができる。また、上部側の扉用ヒンジの可動部分の上下傾きを微調整することによっても、扉の傾きを直すことができる。
この調整方法はヒンジの種類により異なる。【０００４】  特許文献１に開示のドア用蝶番は、ワッシャーやスペーサーの数を加減してドアの傾き加減を調整する構造を備える。
【先行技術文献】
【０００５】
【特許文献１】実開平５−６２６８３号公報
【発明の概要】
【発明が解決しようとする課題】
【０００６】  しかしながら、特許文献１のドア用蝶番におけるドアの傾き加減の調整は、ワッシャーやスペーサーの増減が必要なため、手間と時間がかかる。【０００７】  本発明は、扉の横移動及び上下方向の傾きを微調整する機能を備えた扉用ヒンジを提供することを解決課題とする、この扉用ヒンジにはグレビティヒンジも含まれる。
【課題を解決するための手段】
【０００８】  請求項１に係る扉用ヒンジは次の構成を備える。
（１）手前面になる前板部と該前板部の背面に対向する背板部とを少なくとも備えたフレーム構造を有し、前記前板部の開放側端部側に扉回動機構部を備えたヒンジ本体と、該ヒンジ本体を扉口がある固定側に取り付ける装着用金具と、を備えた扉用ヒンジである。
（２）前記ヒンジ本体は、前記背板部を前記装着用金具が有する背板装着用板部の背面側に装着することにより、前記装着用金具に組付けられている。
（３）この装着は、前記背板部と前記装着用金具とを、軸挿した第１ビスの締結により行われる装着と、前記背板部と前記装着用金具とを、軸挿した調整カムの頭部と該調整カム先端面に螺入した第２ビスの頭部とによる挾着とにより行われている。
（４）前記調整カムの頭部と先端部との間に円形カムが形成され、該円形カムが、前記整背板部又は前記装着用板部のいずれかに設けられたカム窓内に、該カム窓が有する縦長平行な両縁部に略接する状態で位置している。
（５）前記装着用金具に対する前記ヒンジ本体の横移動方向の微調整と上下回動方向の微調整が、ドライバー工具を用いた前記調整カムの頭部の回転方向の操作により、前記円形カムが回転方向に偏心移動して前記両縁部のいずれか一方を押圧して、前記背板部を横移動又は上下回動させて行われるように構成されている。【０００９】  請求項２に係る扉用ヒンジは次の構成を備える。
（１）請求項１に記載の各構成を備える。
（２）前記調整カムと前記第１ビスは、双方の頭部を前記前板部の背面に対向させた向きにあり、該前板部には、双方の頭部を操作するドライバー工具の先端部を突入させることができる窓孔が設けられている。【００１０】  請求項３に係る扉用ヒンジは次の構成を備える。
（１）請求項１に記載の各構成を備える。
（２）前記調整カムと前記第１ビスは、双方の頭部を前記扉口後方に向けた向きにあり、双方の頭部の操作は、該扉口後方側からドライバー工具を操作して行われるように構成されている。【００１１】  請求項４に係る扉用ヒンジは次の構成を備える。
（１）請求項１乃至３のいずれかの項に記載の各構成を備える。
（２）前記背板装着用板部の上縁部と下縁部から前記背板部の上方及び下方後に向けた位置に、該背板装着用板部に装着された前記背板部の上下傾きの範囲を規制するガイド部が夫々設けられている。【００１２】  請求項５に係る扉用ヒンジは次の構成を備える。
（１）請求項１乃至３のいずれかの項に記載の構成を備える。
（２）この項に係る扉用ヒンジは、前記扉回動機構部が備えるヒンジ軸周りに、傾斜カム面を対向させた上下一対の傾斜カムが設けられた、扉の自重で該扉を閉じ方向に動作させるグレビティヒンジである。【００１３】  請求項６に係る扉用ヒンジは次の構成を備える。
（１）請求項５に記載の構成を備える。
（２）前記上下一対の傾斜カムのうち、下部側の傾斜カムのカム面には、上部側の傾斜カムが扉の自重で下降して最下位置に達する手前の位置で一時係止させる突条が、外周側から内側に向けて設けられている。
（３）前記ヒンジ軸上部に、扉を閉じ方向に付勢するばねが支持されている。
（４）前記突条は、扉が自重で閉じ動作をして閉じ終える手前の位置で停止させ、その後の手動による押操作による前記一時係止位置の乗り越えにより、前記ばねの付勢力で扉が閉じ終えるように構成されている。
【発明の効果】
【００１４】  本発明に係る扉用ヒンジによれば、扉の横移動の微調整と傾きの微調整が、ドライバー工具の簡単な操作で正確に行える。この扉用ヒンジが扉の片側の上下個所に設けられている場合、上部側の扉用ヒンジを横方向に僅かに移動させると、扉は下部側の扉用ヒンジを支点にして上下方向に傾く。扉の傾きの微調整は、上部側の扉用ヒンジにある前記第１ビスを緩めないで前記調整カムを回転操作することによっても行える。【００１５】  前記窓孔が設けられた扉用ヒンジの場合には、扉を９０°以上開けて、操作し易い前面側から前記窓孔を通じた前記調整カムと前記第１ビスの操作による扉の位置調整が行える。【００１６】  前記ガイド部が設けらた扉用ヒンジの場合には、前記背板部の位置決め範囲を規制して安全で安定した扉の支持が行える。また、扉を装着したヒンジ本体を下支えし、円滑な横移動を実現させる。【００１７】  本発明に係る扉用ヒンジは、扉回動機構部に前記一対の傾斜カムが設けられた、扉の自重で扉を閉じさせることができるグレビティヒンジにも適用できる。【００１８】  とくに、本発明に係る扉用ヒンジがグレビティヒンジの場合には、扉は閉じ終える直前の少し開いた位置まで扉の自重で下降しながら閉じ方向に回転する。【００１９】  さらにこのグレビティヒンジに前記突条と前記ばねとが設けられていると、下部側の傾斜カムが最下端位置の手前まで下降したときに、下降のカム面に設けられている突条に係止して、扉が少し開いた位置で一時停止する。この一時係止は、扉が閉じる際の衝撃音を大幅に抑える。前記ばねは、扉を手で押す操作をするだけで、扉を完全に閉じさせる。また、このばねにより扉が閉じ方向に付勢されていると、扉前方の収納庫内に収納した収納品による扉の内側からの押圧が作用している場合でも、扉を急に開かせないため安全である。また、扉に把手が無くても扉を手で操作して大きく開かせ易い状態にする。【００２０】  前記円形カム部は、カム当接窓内の両縁部に略接した位置にあるため、円形カム部どのような向きにあっても、この両端部に略接した状態が維持される。即ち、複雑な構造にすることなく、円形カムとカム当接窓の間に横方向の遊びがない状態にすることができる。
この結果、調整後においてヒンジ本体の位置ズレが生じにくい状態を維持させることができる。
【発明を実施するための形態】
【００２１】  本発明実施形態を以下の実施例において詳述する。
【図面の簡単な説明】
【００２２】
【図１】本発明実施形態に係るグレビティヒンジの斜視図。
【図２】（ａ）はこのグレビティヒンジを背面側から見た斜視図、（ｂ）は同じく正面斜め上方から見た斜視図。
【図３】（ａ）は本発明実施形態に係るグレビティヒンジを備えた収納庫を扉９０°開放の状態で示した部分側面断面図、（ｂ）はその部分拡大図、（ｃ）は同収納庫を扉閉じの状態で示した部分側面断面図、（ｄ）はその部分拡大図。
【図４】（ａ）は本体金具の斜視図、（ｂ）は装着用金具の斜視図。
【図５】（ａ）は背板装着用板部の背面側に背板部を組付ける方法を示した斜視図、（ｂ）は調整カムを背面側から見た斜視図、（ｃ）は同背面図。
【図６】（ａ）は、扉の傾斜調整方法を示した部分平面断面図、（ｂ）は位置調整前の状態にある扉用ヒンジ要部の断面部分を含む正面図、（ｃ）は同じく断面部分を含む拡大正面図。
【図７】（ａ）は横移動調整後の状態にある扉用ヒンジ要部の断面部分を含む正面図、（ｂ）は回動調整の状態にある扉用ヒンジ要部の断面部分を含む正面図。
【図８】（ａ）は上下一対の傾斜カムをヒンジ軸とカム軸ホルダを下部側の軸受け部と共に示した斜視図、（ｂ）はこれらを組付けたカム軸と該カム軸の支持構造を示した斜視図、（ｃ）は下ガイド部材の斜視図。
【図９】（ａ）は上下一対の傾斜カムにおいて上部側の傾斜カムが最下位位置の手前で一時係止している状態を示した図、（ｂ）は同（ａ）におけるＡ部拡大図、（ｃ）は上下一対の傾斜カムにおいて上部側の傾斜カムが最下位の位置の達した状態を示した図、（ｂ）は同（ａ）におけるＡ部拡大図。
【図１０】（ａ）（ｂ）（ｃ）はいずれも被せタイプの扉をグレビティヒンジで支持させた収納庫を、扉の開きの違いで示した要部平面断面図。
【図１１】本発明第２実施形態に係る扉用ヒンジにおける本体金具と装着用金具とによる組付け構造を示した分解斜視図。
【図１２】本発明第３実施形態に係る扉用ヒンジにおける本体金具と装着用金具とによる組付け構造を示した分解斜視図。
【図１３】本発明第４実施形態に係る扉用ヒンジにおける本体金具と装着用金具とによる組付け構造を示した分解斜視図。
【実施例】
【００２３】［概要］
図１及び図２（ａ）（ｂ）に本発明に係る扉用ヒンジの１形態である第１実施形態のグレビティヒンジ１が示されている。
このグレビティヒンジ１は、グレビティ機能があるヒンジ本体３と、ヒンジ本体３を扉口前方に配置させる装着用金具２とが組付けられて構成されている。ヒンジ本体３のフレーム部分になる本体金具３０の開放側端部の上端部に軸受け部３０ｃが設けられ、下端部にも軸受け部３０ｄが設けられている。上部側の軸受け部３０ｃはヒンジ軸５１の長さ途中部を支持し、下部側の軸受け部３０ｄはカム軸を保持したカム軸ホルダ５６の下端部を支持している。【００２４】  ヒンジ軸５１の上端部には、ブロック形状の上ガイド部材５２が固定されている。ヒンジ軸５１の長さ途中部には、ヒンジ軸５１と共回りする枠形構造の下ガイド部材５３が回動自在に支持されている。上ガイド部材５２と下ガイド部材５３は扉の装着部材になり、この装着ではビスが用いられる。図１、図２（ｂ）において、上ガイド部材５２と下ガイド部材５３に示された薄墨部分は扉の背面に接する面になる。上ガイド部材５２と下ガイド部材５３とヒンジ軸５１は、扉の開閉とともに回動する回動ユニットを構成している。【００２５】  カム軸ホルダ５６には後述するグレビティ機能があるカム軸が内装されて、扉の自重により扉は僅かながら下降しながら閉じ方向に動作する。【００２６】  ヒンジ軸５１にはコイルばね５７が巻装され、このばね５７の一方のばね端５７ａが本体金具３１側に掛止され、他方のばね端５７ｂが下ガイド部材３９側に掛止されている。このばね５７は、ヒンジ軸５１と上ガイド部材５２と下ガイド部材５３を、扉が閉じ終える直前の位置から扉を閉じさせる方向に付勢させる。【００２７】［収納庫１００の扉口に向けた扉１１０の取付け］
図３（ａ）（ｃ）に示すように、この取付けでは２個のグレビティヒンジ１，１が用いられている。１個は扉１１０の上部側を支持し、他の１個は扉１１０の下部側を支持している。２個のグレビティヒンジ１，１の取付けは、いずれも、扉１１０側に向けた取付けと、収納庫１００の入口の側板１０１に向けた取付けとにより行われている。【００２８】  図３（ａ）（ｃ）を参照しつつ図３（ｂ）（ｄ）に示すように、グレビティヒンジ１の扉１１０側への取付けは、扉１１０に背面片側に固定されている縦枠形状の補強板１２０の舌片１２１，１２１の内側に、ヒンジ本体３側の上ガイド部材３８と下枠部３９ｃを配置してビス留めする方法で行なわれている。
収納庫１００の入口の側板１０１に向けた取付けは、装着用金具２のフック部２１ａ，２１ｂを側板１０１に設けられている横長孔１０２，１０２内に突入係合させた後、ビス留めする方法で行なわれている。【００２９】［本体金具３０の概要］
図１、図２（ａ）（ｂ）を参照しつつ図４（ａ）に示すように、ヒンジ本体３のフレーム部分を構成する本体金具３０は、前板部３１と、背板部３２と、側板部３３とを備えた、平面視略コ字形状の縦板枠構造を有している。【００３０】［前板部３１と軸受け部３０ｃ，３０ｄ］
図１を参照しつつ図４（ａ）に示すように、前板部３１には、２個の窓孔３１ａ，３１ｂが設けられている。前板部３１の開放端部には、カム軸ホルダ５６の側方に突出した膨出部５６ｂを係合させてカム軸ホルダ５６の回転方向の移動を規制するコ字状の切欠部３１ｃが設けられている。前板部３１の上端縁部から背板部３２の上端縁部には、内側水平に折曲された補強部３０ａが設けられている。前板部３１の下端縁部から背板部３２の下端縁部にも、同様の補強部３０ｂが設けられている。これらの補強部３０ａ，３０ｂは、本体金具３０の耐曲げ強度を更に向上させる。
前板部３１の開放側端部の上端部には、補強部３０ａと一体になった軸受け部３０ｃが設けられている。前板部３１の開放側端部の下部にも、補強部３０ｂと一体になった軸受け部３０ｄが設けられている。上部側の軸受け部３０ｃには、ヒンジ軸５１を保持する軸孔３０ｅが設けられている。下部側の軸受け部３０ｄには、図１に示すカム軸ホルダ５６の下端部を位置ズレしないように保持する軸孔３０ｆが設けられている。上部側の軸受け部３０ｃ近傍箇所には、ばね端掛止孔３０ｇが設けられている。【００３１】［背板部３２］
図４（ａ）に示すように、本体金具３０に設けられている背板部３２は、前板部３１と所定間隔を持って平行に対向している。背板部３２の上部面中央個所には、後述する調整カム先端部のボス部（図示せず）を突入させるボス突入孔３２ａが設けられている。背板部３２の下部面中央個所には、ビス螺入孔３２ｂが設けられている。
背板部３２は、前板部３１及び側板部３３の上下高さよりも低い上げ高さがある。【００３２】［側板部３３］
側板部３３は、前板部３１と背板部３２とを、所定間隔を設けた平行な位置関係を図るためにある。図示していないが、前板部３１の上端と背板部３２の上端とを上板で連結させたフレーム構造にすることも可能である。【００３３】［装着用金具２］
図１、図２（ａ）（ｂ）を参照しつつ図４（ｂ）に示すように、装着用金具２は、固定側の側板に取付ける面になる固定側装着用板部２１と、背板部３２を後方から装着する面になる背板装着用板部２２とによる、平面視略Ｌ形状の縦板構造を有している。装着用金具２の強度を更に向上させるため、固定側装着用板部２１と背板装着用板部２２の各下端縁部間を水平三角形状の補強板（図示せず）で接続することも可能である。
固定側装着用板部２１には、上縁部と下縁部の開放端部を水平対向方向に折曲したフック部２１ａ，２１ｂが設けられている。固定側装着用板部２１の中央面には、収納庫内の側板にビス留めするためのビス挿通孔２１ｃが設けられている。
背板装着用板部２２の上端縁部と下端縁部には、水平後方に折曲させたガイド部２２ａ，２２ｂが設けられている。背板装着用板部２２の上部面中央個所から上端部に至る個所には、縦長の平行な両縁部２２ｄ，２２ｅを有するカム当接窓２２ｃが設けられている。背板装着用板部２２の下部面中央個所には、横長のビス挿通孔２２ｆが設けられている。【００３４】［装着用金具２に向けたヒンジ本体３の組付け］
図１、図２（ａ）（ｂ）を参照しつつ図５（ａ）に示すように、背板部３２を背板装着用板部２２の背面側に装着すると、ヒンジ本体３と装着用金具２とが一体になる
この装着は、２個所で行われている。
１個所は、背板装着用板部２２の下部面に位置するビス挿通孔２２ｄからその後方に位置する背板部３２のビス螺入孔３２ｂ内に向けて、ビス（第１ビス）４１を螺入締結する装着で行われている。
他の１個所は、調整カム４０とビス（第２ビス）４２とによる挟着で行われている。
この装着個所と挾着個所は、背板部３２の装着を安定させ、背板部３２の横移動を円滑にさせ、背板部３２の上下方向の傾きの微調整が行えるように、同一面上の間隔を設けた箇所にある。図５（ａ）には、調整カム４０が板面中央の上部個所に位置し、その下方にビス（第１ビス）４１が位置している。【００３５】［調整カム４０］
図５（ａ）（ｂ）（ｃ）に示すように、調整カム４０は、ドライバー工具の先端部を係合させる溝がある頭部４０ａと、頭部４０ａの背面側（前方）に位置する円形カム部４０ｂと、円形カム部４０ｂの前方に位置するボス部４０ｃとが設けられた一体成形品である。
頭部４０ａは、カム当接窓２２ｃの両外側面を挟み付けるためと、ドライバー工具の先端部を係合させて調整カム４０を偏心回転操作するためにある。このため、頭部４０ａにはドライバー工具の先端部を係合させる溝（図ではマイナス形状の溝）が設けられている。
円形カム部４０ｂは、頭部４０ａと軸心を揃えており、頭部４０ａよりも若干小径であり、背板装着用板部２２の板厚よりも若干前後高さが低く、カム当接窓２２ｃの横幅内に丁度収まる径がある。
ボス部４０ｃは、調整カム４０の偏心回動軸になり、円形カム部４０ｂの軸心Ｐ１に対して大きく偏心した軸心Ｐ２を持ち、背板部３２の肉厚と同じ高さ（長さ）があり、先端面中央にビス（第２ビス）４２を螺入させるねじ孔４０ｄが設けられている。
ビス（第２ビス）４２は、調整カム４０の脱落を防ぎ、ビス（第２ビス）４２の頭部による背板部３２の背面側からの挟み付ける。このため、ビス（第２ビス）４２の頭部は、ボス部４０ｃの径よりも大径である。【００３６】  ボス部４０ｃを背板部３２のボス挿通孔３１ａ内に突入させて、円形カム部４０ｂをカム当接窓２２ｃ内に収めた後、ビス（第２ビス）４５をボス部４０ｃ内に向けて螺入締結すると、調整カム４０の頭部４０ａでカム当接窓２２ｃの両外側面が挟み付けられ、ビス（第２ビス）４５の頭部で背板部３２のボス突入孔３２ａの外側面が挟み付けられる。【００３７】［扉の上下方向の傾きの微調整］
この微調整は、図３（ａ）（ｃ）に示す上部側のグレビティヒンジ１の横移動調整により行なわれる。僅かの傾きの調整の場合には、下部側のグレビティヒンジ１の調整は不要な場合もある。
この調整は、下方のビス（第１ビス）４１の締結を緩めた後、調整カム４０の回転方向を僅かに変化させて行う。
また、この調整では、図６（ａ）に示すように、扉１１０を９０°〜１２０°開けて行う。扉１１０を開けると、前板部３１が露見するが、調整カム４０と下方のビス（第１ビス）４１は、前板部３１の前方に位置している。
このため、ビス（第１ビス）４１の操作は、図１及び図４（ａ）に示す前板部３１にある窓孔３１ｂからドライバー工具の先端部を突入して行う。
頭部付きカム４０の操作も同様に、前板部３１にある窓孔３１ａからドライバー工具の先端部を突入して行う。【００３８】  図６（ｃ）と図７（ａ）とを見比べると判るように、円形カム部４０ｂは円形に過ぎないが、調整カム４０はボス部４０ｃの軸心Ｐ２を中心にした偏心回転をする。
このため、軸心Ｐ２から大きく偏心した位置に軸心Ｐ１を持つ円形カム部４０ｂは、ドライバー工具の回転操作によってカム当接窓２２ｃの片側縁部２２ｄを押し付ける。
この押し付けにより、背板部３２は若干ではあるが横移動する。下方のビス（第１ビス）４１も横移動する。図７（ａ）にこの横移動量が示されている。この横移動により、ヒンジ本体全体、延いては、ヒンジ本体に取付けられた扉も横移動する。このように扉上部側の横移動をさせると、扉の上下傾きが調整される。調整カム４０を逆回転操作すると、背板部３２は反対方向に横移動する。【００３９】  図７（ｂ）に示すように、下方のビス（第１ビス）４１の締結を緩めないで調整カム４０を操作すると、背板部３２は横移動しないで上下に傾く。このようにしても扉の傾きを調整することができる。図７（ｂ）にはこの調整後の状態がよく解るように、背板部３２の傾きを大きくして示している。【００４０】［グレビティ機能のある扉回動機構部と傾斜カム］
図８（ａ）（ｂ）に示すように、グレビティ機能のある扉回動機構部には、ヒンジ軸５１と、上下一対の傾斜カム５４，５５とを組み合わせたカム軸と、カム軸ホルダ５６が用いられている。
上部側の傾斜カム５４は、傾斜カム面を下方に向けた姿勢で、ヒンジ軸５１に固定されてヒンジ軸５１と連れ回りする状態にある。下部側の傾斜カム５５は、傾斜カム面を上方に向けた姿勢で、ヒンジ軸５１の下部に回転自在に嵌装されている。
ヒンジ軸５１と傾斜カム５４，５５とが組付けられたカム軸は、カム軸ホルダ５６内に上方から嵌入保持される。このとき下部側の傾斜カム５５に設けられている２個所の凹部５４ａ，５４ｂ何れか一方に、カム軸ホルダ５６内に設けられている突起５６ｄを突入係合させる。
この突入係合により、下部側の傾斜カム５５の回転はカム軸ホルダ５６によって規制される。凹部５４ａ，５４ｂが２個所に設けられているのは、右開き扉と左開き扉に対応させるためである。【００４１】  図８（ｃ）に下ガイド部材５３が示されており、図１において下ガイド部材５３の隠れていた部分がこの図で示されている。【００４２】  図１及び図８（ａ）（ｂ）に示すように、上部側の傾斜カム５４に設けられている突部５４ａを下ガイド部材５３の上端面の開孔部５３ｄに設けられている切欠部５３ｅ内に突入係合させ、カム軸ホルダ５６の下端部中央から下方に突出する小筒部５６ａを、下方の軸受け部３０ｃに設けられている軸孔３０ｄ内に突入させる。
そして、カム軸ホルダ５６に設けられている膨出部５６ｂを前板部３１の切欠部３１ｆに係合させ、カム軸ホルダ５６に設けられている低段部５６ｃを切欠部３１ｆの裏側面に位置させた係合状態にする。
このようにすると、下部側の傾斜カム５５とカム軸ホルダ５６は、本体金具３０に回転不能に固定される。カム軸ホルダ５６を下面側から見ると、右開き扉と左開き扉に対応した係合が行えるように、膨出部５６ｂと低段部５６ｃは三角形状になっている。【００４３】  下ガイド部材５３の回転によって上部側の傾斜カム５４は、下部側の傾斜カム５５とカム面を滑り合わせながら上下移動しながらヒンジ軸５１と共に回転する。下ガイド部材５３の上板部５３ａが傾斜カム５４の上部に連れ回り係合されているため、下ガイド部材５３も同様の動作をする。即ち、ヒンジ軸５１と上ガイド部材５２と下ガイド部材５３は、上部側の傾斜カム５４とともに、上下移動しながら回動する。上下対向する傾斜カム面を持つ傾斜カム５４，５５によるカム運動は、扉の自重によって扉を若干下方移動させながら閉じる方向に回動させる。
扉を手の操作で開けたときには、上部側の傾斜カム３４はカム面を滑り上がりながらヒンジ軸３３とともに上方移動する。【００４４】  図９に示すように、下部側の傾斜カム５５のカム面の最下端個所５５ｃの少し手前（上方）個所には、上部側の傾斜カム５４が回動を伴って下方移動をし終える直前の位置でこの回動を伴った下方移動を一時停止させる（ストッパーになる）三角形状の突条５５ｄが内側に向けて設けられている。【００４５】  図１０に示すように、収納庫１００の扉１１０にグレビティヒンジ１を取付けた状態が、扉１１０を閉じた状態、扉１１０を９０°開放した状態、扉を最大の１１０°開放した状態で示されている。【００４６】  尚、実施例ではグレビティヒンジ１を説明してきたが、グレビティ機能を持たないヒンジについても、上述した調整ができる構造にすることが可能である。この場合、図４（ａ）（ｂ）、図５（ａ）に示す装着用金具２と本体金具３０を用いた構造にする必要がある。【００４７】［第２実施形態における扉用ヒンジの装着構造］
本発明第２実施形態に係る扉用ヒンジの場合には、図１１（ａ）に示すように、本体金具３０側に設けられている背板部３２が、装着用金具２が有する背板装着用板部２２の前面側に装着される。このため、調整カム４０とビス４１，４２の向きは前後逆向きになる。背板装着用板部２２の上端縁部と下端縁部には、背板部３２の上下方向に向けた平行に対向するガイド部２２ａ，２２ｂが設けられている。前板部３１に窓孔は設けられていない。その他の個所の構造は第１実施形態の扉用ヒンジと共通するため省略する。【００４８】［第３実施形態における扉用ヒンジの装着構造］
本発明第３実施形態に係る扉用ヒンジの場合には、図１２（ａ）に示すように、本体金具３０側に設けられている背板部３２が、装着用金具２が有する背板装着用板部２２の背面側に装着される。この扉要ヒンジは、図１２（ｂ）に示すように、ライバー工具による第１ビス４１と調整カム４０の操作を後方側から行うタイプである。このため、調整カム４０とビス４１，４２の向きは、第１実施形態に係る扉用ヒンジの場合と逆向きになる。【００４９】［第４実施形態における扉用ヒンジの装着構造］
本発明第４実施形態に係る扉用ヒンジの場合には、図１３（ａ）に示すように、本体金具３０側に設けられている背板部３２が、装着用金具２が有する背板装着用板部２２の前面側に装着される。この扉要ヒンジは、図１２（ｂ）に示すように、ライバー工具による第１ビス４１と調整カム４０の操作を後方側から行うタイプである。このため、調整カム４０とビス４１，４２の向きは、第１実施形態に係る扉用ヒンジの場合と逆向きになる。また、第１ビス４１を突入させるビス挿通孔２２ｄと、カム当接窓２２ｃは、背板装着用板部２２に設けられている。ボス突入孔３２ａと、第１ビス４１用のビス螺入孔３２ｂは、背板部３２に設けられている。
【産業上の利用分野】
【００５０】  本発明に係るヒンジ、グレビティヒンジは、収納庫を含めた什器の分野、建築の分野において利用価値がある。
【符号の説明】
【００５１】１      グレビティヒンジ
２      装着用金具
２１    固定側装着用板部
２２    背板装着用板部
２２ｃ  カム当接窓
３      ヒンジ本体
３０    本体金具
３１    前板部
３２    背板部
４０    調整カム
４０ａ  頭部
４０ｂ  円形カム部
４１    ビス（第１ビス）
４２    ビス（第２ビス）
【図１】
2017218879.tif 000003
【図２】
2017218879.tif 000004
【図３】
2017218879.tif 000005
【図４】
2017218879.tif 000006
【図５】
2017218879.tif 000007
【図６】
2017218879.tif 000008
【図７】
2017218879.tif 000009
【図８】
2017218879.tif 000010
【図９】
2017218879.tif 000011
【図１０】
2017218879.tif 000012
【図１１】
2017218879.tif 000013
【図１２】
2017218879.tif 000014
【図１３】
2017218879.tif 000015